(57)【要約】【課題】  本発明は混合栓より排出されている混合水の温度を視覚的に確認でき、安全に使用することができる混合栓を得るにある。【解決手段】水と温水とを混合して排出することができる混合栓において、該混合栓の混合通路部に設けた、該混合通路部を通過する混合水の温度を測定することができる温度センサーと、この温度センサーで測定した混合水の温度を少なくとも２種類以上の色で、前記混合栓部位で表示する混合水の温度色表示手段とで混合栓を構成している。【選択図】  図５
2009221739.tif 000002
【特許請求の範囲】
【請求項１】
水と温水とを混合して排出することができる混合栓において、該混合栓の混合通路部に設けた、該混合通路部を通過する混合水の温度を測定することができる温度センサーと、この温度センサーで測定した混合水の温度を少なくとも２種類以上の色で、前記混合栓部位で表示する混合水の温度色表示手段とで構成されていることを特徴とする混合栓。
【請求項２】
混合水の温度色表示手段は混合栓より排水される混合水を照明することができる、該混合栓の排出近傍の混合通路部に設けられた少なくとも２個以上の異なる色の照明灯と、この少なくとも２個以上の異なる色の照明灯のいずれかを温度センサーの測定信号で点灯させる制御回路とで構成されていることを特徴とする請求項１記載の混合栓。
【請求項３】
混合水の温度色表示手段は混合栓の排出近傍の前部に設けられた少なくとも２個以上の異なる色の照明灯と、この少なくとも２個以上の異なる色の照明灯のいずれかを温度センサーの測定信号で点灯させる制御回路とで構成されていることを特徴とする請求項１記載の混合栓。
【請求項４】
混合水の温度色表示手段は混合栓より排水される混合水を照明することができる、該混合栓の排出近傍の混合通路部に設けられたＲＧＢ−ＬＥＤと、このＲＧＢ−ＬＥＤをあらかじめ設定された温度センサーの測定信号で色が変化して点灯するように制御する制御回路とで構成されていることを特徴とする請求項１記載の混合栓。
【発明の詳細な説明】
【技術分野】
【０００１】
本発明は水と温水とを混合して排出することができる混合栓に関する。
【背景技術】
【０００２】
従来の混合栓は水のバルブと温水のバルブとを任意に開放するものや、温度調節バルブを回動させて任意の温度の混合水が得られるように構成されていた。
【０００３】
しかしながら、使用者には混合栓より排出される混合水の温度が分からず、実際に排出される混合水を手で触ったりして温度を確認しているが、高温の場合、危険であったり、混合水の排出初めは温度が低く、次第に高くなっていくので、どの温度に設定しているのかわかりづらいという欠点があった。
【特許文献１】特になし
【発明の開示】
【発明が解決しようとする課題】
【０００４】
本発明は以上のような従来の欠点に鑑み、混合栓より排出されている混合水の温度を視覚的に確認でき、安全に使用することができる混合栓を提供することを目的としている。
【０００５】
本発明の他の目的は混合栓より排出される混合水に温度を表示することができる色の照明をして、視覚的に排出される混合水の温度を知るとともに、楽しく使用することができる混合栓を提供することを目的としている。  
【課題を解決するための手段】
【０００６】
上記目的を達成するために、本発明は水と温水とを混合して排出することができる混合栓において、該混合栓の混合通路部に設けた、該混合通路部を通過する混合水の温度を測定することができる温度センサーと、この温度センサーで測定した混合水の温度を少なくとも２種類以上の色で、前記混合栓部位で表示する混合水の温度色表示手段とで混合栓を構成している。
【０００７】
また、本発明は混合水の温度色表示手段は混合栓より排水される混合水を照明することができる、該混合栓の排出近傍の混合通路部に設けられたＲＧＢ−ＬＥＤと、このＲＧＢ−ＬＥＤをあらかじめ設定された温度センサーの測定信号で色が変化して点灯するように制御する制御回路とで混合栓を構成している。
【発明の効果】
【０００８】
以上の説明から明らかなように、本発明にあっては次に列挙する効果が得られる。
【０００９】
（１）水と温水とを混合して排出することができる混合栓において、該混合栓の混合通路部に設けた、該混合通路部を通過する混合水の温度を測定することができる温度センサーと、この温度センサーで測定した混合水の温度を少なくとも２種類以上の色で、前記混合栓部位で表示する混合水の温度色表示手段とで構成されているので、混合通路部を通過する混合水の温度を温度センサーで測定し、測定した温度を混合栓部位で、少なくとも２種類以上の色で温度色表示手段で表示することができる。
したがって、排出される混合水の温度を視覚的に確認することができる。
【００１０】
（２）前記（１）によって、排出される混合水の温度を視覚的に確認することができるので、安全で、安心して使用することができる。
【００１１】
（３）請求項２は前記（１）、（２）と同様な効果が得られるとともに、排出される混合水に温度センサーの信号に応じた色の照明ができる。
したがって、より安全で、楽しく使用することができる。
【００１２】
（４）請求項３も前記（１）、（２）と同様な効果が得られる。
【００１３】
（５）請求項４も前記（１）〜（３）と同様な効果が得られるとともに、ＲＧＢ−ＬＥＤの使用によって多種類の色表示が可能で、安価で、耐久性に優れた温度表示手段にできる。
【発明を実施するための最良の形態】
【００１４】
以下、図面に示す本発明を実施するための最良の形態により、本発明を詳細に説明する。
【００１５】
図１ないし図７に示す本発明を実施するための最良の第１の形態において、１は本発明の混合栓で、この混合栓１は蛇口２が設けられた混合栓本体３と、この混合栓本体３に接続された水道管４に接続された水供給管５および湯沸し器６に接続された温水供給管７と、前記混合栓本体３に設けられた前記水供給管５からの水と前記温水供給管７からの温水とを左右方向に回動することにより混合割合が変化し、上下方向へ操作すると前記蛇口２からの混合水の流出、停止を図る、一般に使用されている操作レバー８と、前記蛇口２の排出口２ａ近傍に、該排出口２ａより排出される混合水を少なくとも２色以上の色に照明することができるように取付けられた温度色表示手段としてのＲＧＢ−ＬＥＤ９と、このＲＧＢ−ＬＥＤ９を前記蛇口２の混合通路部２ｂを通過する混合水の温度を内部あるいは外部より測定する、該蛇口２に設けられた温度センサー１０と、この温度センサー１０で測定した温度の測定信号で、例えば２５度以下の場合には前記ＲＧＢ−ＬＥＤ９が青色に発光し、２６度〜４２度の場合にはピンク色に発光し、４３度以上の場合には赤色に発光するよう制御するように蛇口２に設けられた制御回路１１とで構成されている。
【００１６】
上記構成の混合栓１は操作レバー８を上下方向に操作して開弁して、蛇口２より混合水を排出させる。
この時、蛇口２の混合通路部２ｂを流れる混合水は温度センサー１０で温度が測定され、その測定信号が制御回路１１へ出力され、該制御回路１１で混合水のあらかじめ設定された温度に応じてＲＧＢ−ＬＥＤ９が青色、ピンク色、赤色に点灯され、蛇口２より排出される混合水をその色に照明することができる。
したがって、蛇口２より流出している混合水の照明された色によって、例えば青色の場合は２５度以下の温度で、ピンク色の場合は２６度〜４２度、赤色の場合は４３度以上であるということを視覚的に確認することができる。
【００１７】
なお、本発明の実施の形態ではＲＧＢ−ＬＥＤ９を使用しているので、制御回路１１の設定によって多種類の温度設定された色に変化させて照明することができる。
[発明を実施するための異なる形態]
【００１８】
次に、図８ないし図２８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１１に示す本発明を実施するための第２の形態において、前記本発明を実施するための最良の第１の形態と主に異なる点は、蛇口２の排出口２ａより排出される混合水を青色、ピンク色および赤色に照明することができる青色照明灯１２、ピンク色照明灯１３と赤色照明灯１４とを温度色表示手段１５として用いて、混合水が、例えば２５度以下の場合には制御回路１１で青色照明灯１２を点灯させ、２６度〜４２度の場合はピンク色照明灯１３を点灯させ、４３度以上の場合には赤色照明灯１４を点灯させるようにした点で、このように構成した混合栓１Ａにしても、前記本発明を実施するための最良の第１の形態と同様な作用効果が得られる。
【００２０】
図１２ないし図１５に示す本発明を実施するための第３の形態において、前記本発明を実施するための最良の第１の形態と主に異なる点は、蛇口２の前面に温度色表示手段としてのＲＧＢ−ＬＥＤ９を取付けた点で、このＲＧＢ−ＬＥＤ９の点灯する光の色によって蛇口２より排出されている混合水の温度を視覚的に知ることができる混合栓１Ｂにできる。
なお、本発明の実施に形態では色の異なる照明灯を複数個、蛇口２の前面に設けても同様な作用効果が得られる。
【００２１】
図１６ないし図１９に示す本発明を実施するための第４の形態において、前記本発明を実施するための最良の第１の形態と主に異なる点は、混合通路部２ｂをシャワーホース１６に接続するとともに、該シャワーホース１６の先端部に蛇口としてのシャワーノズル１７を設け、該シャワーノズル１７内にＲＧＢ−ＬＥＤ９を設けてシャワーノズル１７より噴射されるシャワーに、温度によって色が異なる照明をできるようにした点で、このように構成したシャワーに使用できる混合栓１Ｃにしても、前記本発明を実施するための最良の第１の形態と同様な作用効果が得られる。
【００２２】
図２０ないし図２４に示す本発明を実施するための第５の形態において、前記本発明を実施するための第４の形態と主に異なる点は、シャワーノズル１７に青色照明灯１２、ピンク色照明灯１３および赤色照明灯１４を温度色表示手段１５Ａとして用いた点で、このような温度色表示手段１５Ａを用いて構成した混合栓１Ｄにしても、前記本発明を実施するための第４の形態と同様な作用効果が得られる。
【００２３】
図２５ないし図２８に示す本発明を実施するための第６の形態において、前記本発明を実施するための最良の第１の形態と主に異なる点は、蛇口２の排出口２ａより排出される混合水を青色、赤色に照明することができる青色照明灯１２と赤色照明灯１４とを温度色表示手段１５Ｂとして用いて、混合水が、例えば２５度以下の場合には制御回路１１で青色照明灯１２を点灯させ、４３度以上の場合には赤色照明灯１４を点灯させるようにした点で、このように構成した混合栓１Ｅにしても、前記本発明を実施するための最良の第１の形態と同様な作用効果が得られる。
【００２４】
なお、混合水の温度と色の異なる照明は、前記本発明を実施するための各形態に限ることなく、あらかじめ使用者が使用しやすい温度範囲を選定し、温度範囲に最適な色の温度色表示手段にしたものを用いてもよい。
また、前記本発明の実施の形態では蛇口２に組み込むものに付いて説明したが、本発明はこれに限らず、蛇口２の表面で混合通路部２ｂを流れる混合水の温度を測定する温度センサーや、蛇口２より排出される混合水を照明できるように温度色表示手段１５、１５Ａ、１５Ｂを蛇口２の表面に取付けれるようにしたものであっても良い。この場合、既存の蛇口にも容易に設置することができる。
【産業上の利用可能性】
【００２５】
本発明は水とお湯とを任意に混合して排出することができる混合栓を製造する産業で利用される。
【図面の簡単な説明】
【００２６】
【図１】本発明を実施するための最良の第１の形態の概略平面図。
【図２】本発明を実施するための最良の第１の形態の概略正面図。
【図３】本発明を実施するための最良の第１の形態の蛇口の平面図。
【図４】本発明を実施するための最良の第１の形態の蛇口の側面図。
【図５】図３の５−５線に沿う断面図。
【図６】本発明を実施するための最良の第１の形態の概略ブロック図。
【図７】本発明を実施するための最良の第１の形態の混合水の照明状態を示す説明図。
【図８】本発明を実施するための第２の形態の概略平面図。
【図９】本発明を実施するための第２の形態の蛇口の平面図。
【図１０】図９の１０−１０線に沿う断面図。
【図１１】本発明を実施するための第２の形態の概略ブロック図。
【図１２】本発明を実施するための第３の形態の平面図。
【図１３】本発明を実施するための第３の形態の蛇口の平面図。
【図１４】本発明を実施するための第３の形態の蛇口の正面図。
【図１５】本発明を実施するための第３の形態の概略ブロック図。
【図１６】本発明を実施するための第４の形態の説明図。
【図１７】本発明を実施するための第４の形態のシャワーノズルの側面図。
【図１８】本発明を実施するための第４の形態のシャワーノズルの断面図。
【図１９】本発明を実施するための第４の形態の概略ブロック図。
【図２０】本発明を実施するための第５の形態の説明図。
【図２１】本発明を実施するための第５の形態のシャワーノズルの側面図。
【図２２】本発明を実施するための第５の形態のシャワーノズルの正面図。
【図２３】本発明を実施するための第５の形態のシャワーノズルの断面図。
【図２４】本発明を実施するための第５の形態の概略ブロック図。
【図２５】本発明を実施するための第６の形態の概略平面図。
【図２６】本発明を実施するための第６の形態の蛇口の平面図。
【図２７】本発明を実施するための第６の形態の蛇口の正面図。
【図２８】本発明を実施するための第６の形態の概略ブロック図。
【符号の説明】
【００２７】
１、１Ａ、１Ｂ、１Ｃ、１Ｄ、１Ｅ：混合栓、
２：蛇口                      ３：混合栓本体、
４：水道管、                  ５：水供給管、        
６：湯沸し器、                ７：温水供給管、
８：操作レバー、              ９：ＲＧＢ−ＬＥＤ、
１０：温度センサー、          １１：制御回路、
１２：青色照明灯、            １３：ピンク色照明灯、
１４：赤色照明灯、
１５、１５Ａ、１５Ｂ：温度色表示手段、
１６：シャワーホース、        １７：シャワーノズル。
【図１】
2009221739.tif 000003
【図２】
2009221739.tif 000004
【図３】
2009221739.tif 000005
【図４】
2009221739.tif 000006
【図５】
2009221739.tif 000007
【図６】
2009221739.tif 000008
【図７】
2009221739.tif 000009
【図８】
2009221739.tif 000010
【図９】
2009221739.tif 000011
【図１０】
2009221739.tif 000012
【図１１】
2009221739.tif 000013
【図１２】
2009221739.tif 000014
【図１３】
2009221739.tif 000015
【図１４】
2009221739.tif 000016
【図１５】
2009221739.tif 000017
【図１６】
2009221739.tif 000018
【図１７】
2009221739.tif 000019
【図１８】
2009221739.tif 000020
【図１９】
2009221739.tif 000021
【図２０】
2009221739.tif 000022
【図２１】
2009221739.tif 000023
【図２２】
2009221739.tif 000024
【図２３】
2009221739.tif 000025
【図２４】
2009221739.tif 000026
【図２５】
2009221739.tif 000027
【図２６】
2009221739.tif 000028
【図２７】
2009221739.tif 000029
【図２８】
2009221739.tif 000030